(57)【要約】      （修正有）【課題】本考案は、長時間のバス乗車に於いて座席に座り足が疲れてくると、前座席の背もたれに足を置いたり、足を組んだりするが楽な体勢が続かないため、楽な体勢の維持ができるようにする。【解決手段】本考案は、厚手の繊維素材で袋縫い加工し、足置き布ベルト本体１の両端に長さの違うマジック  テ−プ２と２ａを取り付け高さ調整を自在にしている、足置き布ベルト本体１をバスの前座席の把手３に通しマジック  テ−プ２と２ａを密着させて足置き布ベルト１を吊り下げ、足を置くことにより楽な体勢の維持に役立つ。【選択図】図２
0003138197.tif 000002
【実用新案登録請求の範囲】
【請求項１】
本考案は、バス旅行など長時間の乗車で足が疲れると前座席の背もたれに足を置いたり足を組んだり楽な体勢が続かない、そこで、厚手の繊維素材を用い縦長に裁断加工し、袋縫いした布ベルトの両端に長さの違うマジック  テ−プを取り付け、高さの調整を自在にしてバスの前座席の背もたれに取り付けられている把手に通し吊り下げ、足を置くことができるところを特徴する足置き布ベルト。
【考案の詳細な説明】
【技術分野】
【０００１】  本考案は、長時間のバス乗車に於いて楽な体勢の維持ができ、簡単に取り付け、取り外しができる、足置き布ベルトに関するものである。
【背景技術】
【０００２】  長時間のバス乗車に於いて、床面に足を置いていると足が疲れやすく、楽な体勢の維持が続かない。
【考案の開示】
【考案が解決がしょうとする課題】
【０００３】  座席に座り足が疲れてくると、前座席の背もたれに足を置いたり、足を絹んだりするが楽な体勢が続かない、そこで前述の課題を解決しょうとするものである。
【課題を解決するための手段】
【０００４】  本考案の足置き布ベルトは、厚手の繊維素材を用い縦長に１６０センチメ−トル、横幅はマジック  テ−プを取り付ける箇所は２２センチメ−トル、足置き箇所は３２センチメ−トル位が何れも望ましく、これらの数値で裁断した布を袋縫い加工し、縦長のベルト状態の両端に長さの違うマジック  テ−プを取り付け高さの調整を自在にして、バスの前座席の背もたれの把手に簡単に取り付け、取り外しができ、足を置くことで楽な体勢の維持ができるよう課題を解決している。
【考案の効果】
【０００５】  上述のように、足置き布ベルトは、マジック  テ−プを取り付けているので、把手に取り付け、取り外し、且つ、高さ調整が自在にでき使用しない時でも邪魔にもならず、丸めて小さくすれば持ち運びにも便利である。
【考案を実施するための最良の形態】
【０００６】  本考案に係る足置き布ベルトは、（図２）に示すように、足置き布ベルトの両端に長さの違うマジック  テ−プを取付け高さの調整を自在にしている、そしてバスの前座席の把手に足置き布ベルトの片方を通しマジック  テ−プで固定して、吊り下げ足置き布ベルトに足を置き楽な体勢の維持ができる。
【実施例】
【０００７】  以下、添付図面に従って一実施例を説明する。１は足置き布ベルト本体で厚手の繊維素材を使用し、足置き布ベルト本体１の先端箇所１ａにマジック  テ−プ２を取り付ける、マジック  テ−プ２の長さは２０センチメ−トル位が望ましい、足置き布ベルト本体１の先端箇所１ｂにマジック  テ−プ２ａを取り付ける、マジック  テ−プ２ａの長さは７センチメ−トル位が望ましく、これにより高さ調整が自在となる。【０００８】  足置き布ベルト本体１の先端を、バスの前座席の把手３に通し、マジック  テ−プ２と２ａを密着させて固定し足置き布ベルト本体１を吊り下げて足を置く。
【図面の簡単な説明】
【０００９】
【図１】本考案の足置き布ベルトの正面図である。
【図２】本考案の足置き布ベルトの断面図である。
【符号の説明】
【００１０】  １  足置きベルト本体
２  マジック  テ−プ
３  バス前座席の把手
【図１】
0003138197.tif 000003
【図２】
0003138197.tif 000004
【手続補正書】
【提出日】平成19年9月26日(2007.9.26)
【手続補正１】
【補正対象書類名】実用新案登録請求の範囲
【補正対象項目名】全文
【補正方法】変更
【補正の内容】
【実用新案登録請求の範囲】
【請求項１】
本考案は、バス旅行など長時間の乗車で足が疲れると前座席の背もたれに足を置いたり足を組んだり楽な体勢が続かない、そこで、厚手の繊維素材を用い縦長に裁断加工し袋縫いした布ベルトの両端に長さの違うマジックテ−プ（登録商標）を取り付け、高さの調整を自在にしてバスの前座席の背もたれに取り付けられている把手に通し吊り下げ足を置くことができるところを特徴とする足置き布ベルト。
【手続補正２】
【補正対象書類名】明細書
【補正対象項目名】全文
【補正方法】変更
【補正の内容】
【考案の詳細な説明】
【技術分野】
【０００１】  本考案は、長時間のバス乗車に於いて楽な体勢の維持ができ、簡単に取り付け、取り外しができる、足置き布ベルトに関するものである。
【背景技術】
【０００２】  長時間のバス乗車に於いて、床面に足を置いていると足が疲れやすく、楽な体勢の維持が続かない。
【考案の開示】
【考案が解決しようとする課題】
【０００３】  座席に座り足が疲れてくると、前座席の背もたれに足を置いたり、足を組んだりするが楽な体勢が続かない、そこで前述の課題を解決しようとするものである。
【課題を解決するための手段】
【０００４】  本考案の足置き布ベルトは、厚手の繊維素材を用い縦長に１６０センチメ−トル、横幅はマジックテ−プ（登録商標）を取り付ける箇所は２２センチメ−トル、足置き箇所は３２センチメ−トル位が何れも望ましく、これらの数値で裁断した布を袋縫い加工し、縦長のベルト状態の両端に長さの違うマジックテ−プ（登録商標）を取り付け高さの調整を自在にして、バスの前座席の背もたれの把手に簡単に取り付け、取り外しができ、足を置くことで楽な体勢の維持ができるよう課題を解決している。
【考案の効果】
【０００５】  上述のように、足置き布ベルトは、マジックテ−プ（登録商標）を取り付けているので把手に取り付け、取り外し、且つ、高さ調整が自在にでき使用しない時でも邪魔にならず丸めて小さくすれば持ち運びにも便利である。
【考案を実施するための最良の形態】
【０００６】  本考案に係る足置き布ベルトは、（図２）に示すように、足置き布ベルトの両端に長さの違うマジックテ−プ（登録商標）を取り付け高さの調整を自在にしている、そしてバスの前座席の把手に足置き布ベルトの片方を通しマジックテ−プ（登録商標）で固定して、吊り下げ足置き布ベルトに足を置き楽な体勢の維持ができる。
【実施例】
【０００７】  以下、添付図面に従って一実施例を説明する。１は足置き布ベルト本体で厚手の繊維素材を使用し、足置き布ベルト本体１の先端箇所１ａにマジックテ−プ（登録商標）２を取り付ける、マジックテ−プ（登録商標）２の長さは２０センチメ−トル位が望ましい、足置き布ベルト本体１の先端箇所１ｂにマジックテ−プ（登録商標）２ａを取り付ける、マジックテ−プ（登録商標）２ａの長さは７センチメ−トル位が望ましく、これにより高さ調整が自在どなる。【０００８】  足置き布ベルト本体１の先端を、バスの前座席の把手３に通し、マジックテ−プ（登録商標）２と２ａを密着させて固定し足置き布ベルト本体１を吊り下げて足を置く。
【図面の簡単な説明】
【０００９】
【図１】本考案の足置き布ベルトの正面図である。
【図２】本考案の足置き布ベルトの断面図である。
【符号の説明】
【００１０】  １  足置き布ベルト本体
２  マジックテ−プ（登録商標）
３  バスの前座席の把手